(57)【要約】【課題】肌触りの良いタイツを提供する。【解決手段】このタイツ１は、芯糸であるポリウレタン弾性糸に天然繊維糸（綿糸）を巻き付けたカバリング糸（ＳＣＹ）を編み糸として、ゾッキ編みで編成されている。タイツ１の肌密着側の編地は、毛羽立たせる加工が施されていることを特徴とする。捲糸に天然糸を用いていること、ゾッキ編みとしたこと、毛羽立たせる加工が施されていることにより、肌触りが非常に良好なタイツを提供できる。【選択図】図１
2013185266.tif 000002
【特許請求の範囲】
【請求項１】
ポリウレタン弾性糸の芯糸に捲糸を巻着させたカバリング糸を用いてゾッキ編みしたタイツであって、
前記捲糸を天然繊維として、
前記タイツの肌密着側の編地を毛羽立たせる加工を施したことを特徴とするタイツ。
【請求項２】
前記捲糸は綿糸であることを特徴とする、請求項１に記載のタイツ。
【発明の詳細な説明】
【技術分野】
【０００１】
本発明は、下半身用衣類である、パンティストッキング型のタイツやレッグ部のみのタイツ（スパッツ等）に関し、特に、カバリング糸を用いたゾッキ編みのタイツであって肌触りが良好なタイツに関する。
【背景技術】
【０００２】
カバリング糸は伸縮性を有すること等から、ストッキングやタイツ等の編み糸として広く用いられている。
タイツは専ら冬季に着用され、保温性を重視したものとなっており、タイツにはアクリルのバルキー糸１００％のもの、カバリング糸とナイロンフィラメント加工糸との交編タイプのもの、またはカバリング糸１００％のいわゆるゾッキタイプのものがあり、形状としてはパンティーストッキング型のものやレッグ部のみのものがある。本発明に係るタイツには、パンティーストッキング型のみならず、パンティーストッキング型のタイツの一部（足首より先の部分やパンティ部等）を欠落させた、スパッツ、レギンスおよびトレンカ等の呼び名を有する形状のものも含む。
【０００３】
このようなタイツに用いられるカバリング糸としては、ポリウレタン弾性糸を芯糸としてナイロンフィラメント加工糸を１重に被覆したＳＣＹ（シングル・カバード・ヤーン）または２重に被覆したＤＣＹ（ダブル・カバード・ヤーン）ものが、主に用いられている。
このように、芯糸をポリウレタン弾性糸として捲糸をナイロンフィラメント加工糸としたカバリング糸が、ストッキングやタイツ等の下半身用衣類の編み糸として広く用いられている。その一方、実用新案登録第３１７２０４１号公報（特許文献１）は、捲糸として綿等の天然繊維糸を用いたカバリング糸を用いた、下半身用衣類の１種である靴下を開示する。この靴下は、１００％綿のコンパクトヤーン（糸の表面の毛羽を伏せて製造された綿糸）をポリウレタン弾性糸の芯糸にカバリングし、裏糸をこのカバリング糸として、表糸を綿等の天然繊維糸として編組して靴下を編成したことを特徴とする。
【０００４】
このようなカバリング糸を用いて編成した靴下によると、綿１００％の天然繊維糸でポリウレタン弾性糸を巻き付けたカバリング糸が吸湿速乾の特性を有し、さらにこれを裏糸として足の肌に直接的に触れて汗等の水分を吸収でき、かつ表面積が広くできて乾燥も速くできる。
【先行技術文献】
【特許文献】
【０００５】
【特許文献１】実用新案登録第３１７２０４１号公報
【発明の概要】
【発明が解決しようとする課題】
【０００６】
ところで、最近ではミニスカートが若い女性の間に定着し、冬季でもスカート類および／またはブーツとパンティーストッキングまたはタイツとをコーディネイトするレッグファッションが注目されている。ユーザは、このようなファッション指向を重視してタイツを選択するとともに、冬季の乾燥肌に密着するタイツの肌触りも大きな選択基準としている傾向もある。
【０００７】
一方、特許文献１は、芯糸としてポリウレタン弾性糸、捲糸として綿糸から構成されるシングルカバリング糸を用いた靴下を開示している。しかしながら、このカバリング糸をタイツへ適用しようとしても、特許文献１に開示された靴下はタイツにさほど重要ではない吸湿速乾性能を専ら追求したものであって、特許文献１にはタイツおよび肌触りについての言及も示唆もなく、このカバリング糸をタイツへ適用しただけでは肌触りが良好なタイツを実現することができない。
【０００８】
本発明は、従来技術の上述の問題点に鑑みて開発されたものであり、その目的とするところは、着用したときの肌触りが良好なゾッキ編みタイツを提供することを目的とする。
【課題を解決するための手段】
【０００９】
上記目的を達成するため、本発明のゾッキ編みタイツは以下の技術的手段を講じている。
すなわち、本発明のゾッキ編みタイツは、ポリウレタン弾性糸の芯糸に捲糸を巻着させたカバリング糸を用いてゾッキ編みしたタイツであって、前記捲糸を天然繊維として、前記タイツの肌密着側の編地を毛羽立たせる加工を施したことを特徴とする。
【００１０】
好ましくは、前記捲糸は綿糸で構成することができる。
【発明の効果】
【００１１】
本発明のタイツによれば、着用したときの肌触りが良好なタイツを実現することができる。
【図面の簡単な説明】
【００１２】
【図１】本発明の実施の形態に係るタイツの概略正面図である。
【図２】図１のタイツを編成するカバリング糸を説明するための図である。
【図３】図１のタイツの編み組織を示す図である。
【発明を実施するための形態】
【００１３】
以下、本発明の実施の形態に係るタイツ１を、図面に基づき詳しく説明する。
図１に、本実施の形態に係るタイツ１の概略正面図を示す。このタイツ１は、通常のパンティストッキング等の下半身用衣類と同じく、腹部および臀部を被覆するパンティ部３と、脚を被覆するレッグ部２とを備えるものである。このタイツ１は、筒状に編成された１対の編地を用い、パンティ部３に相当する部分に切れ目を入れて裁断縁どうしをつき合わせて股部４を縫着して一体化することにより製造される。また、足部の爪先部は周知の手段により、袋状に縫着することにより製造される。
【００１４】
なお、本発明において、対象をタイツとしているが、部分的にその機能を備えたスパッツ等を含むことは上述した通りである。
本実施の形態に係るタイツ１を構成する編地は、編み糸として図２に示すカバリング糸（ＳＣＹ）５を用いて、編み組織として図３に示すように平編ループ８を用いて、ゾッキ編みされた伸縮性平編地で構成される。なお、図３は、模式的に編み組織を表した図であるため、図３においては、平編ループ８の大きさとカバリング糸５の径とポリウレタン弾性糸６の径と綿糸７の径との比率は、現実のものと異なっている。
【００１５】
このタイツ１は、ポリウレタン弾性糸６を芯糸として綿糸７を巻き付けたカバリング糸５の１種類のみで編成するゾッキ編みで編成した。このため、カバリング糸５の捲糸が綿糸であること、および、ゾッキ編みであることの２つにより、肌触りの滑らかなタイツを実現している。さらに、後述するように、タイツ１の肌密着側は起毛加工を施して、肌触りがさらに滑らかなタイツを実現している。
【００１６】
図２に示すように、カバリング糸５は、芯糸としてポリウレタン弾性糸６を用い、捲糸として綿糸７を用いている。芯糸であるポリウレタン弾性糸６は、エーテル結合を持つエーテルタイプであってもエステル結合を持つエステルタイプであっても構わない。その太さは、パワー（緊縛力）が強すぎることなく最適なパワーとなる範囲のものであれば特に限定されない。また、フィラメント数はモノフィラメントおよびマルチフィラメントのいずれでもよい。
【００１７】
ポリウレタン弾性糸６に被覆する捲糸である綿糸７としては、特に限定されるものではなく、タイツ１の表側（肌密着の反対側）の表面性状を考慮すると糸の表面の毛羽立ちを伏せたコンパクトヤーンが好ましい。
本実施の形態に係るタイツ１における編糸であるカバリング糸５は、その芯糸であるポリウレタン弾性糸６は通常のタイツやストッキングに用いられるものであって、カバリング糸５の捲糸として綿糸７を採用している点が特徴である。本実施の形態に係るタイツ１における編地は、ポリウレタン弾性糸６に綿糸７を巻き付けたカバリング糸５のみでゾッキ編みされた伸縮性平編地である点が特徴である。このように構成されたタイツ１は、フィット性が良好で、かつ、肌触りの良好な着用感を実現している。
【００１８】
上述したように、ポリウレタン弾性糸６を芯糸として綿糸７を巻き付けたカバリング糸５の１種類のみでゾッキ編みしたタイツ１は、以下のように加工される。タイツ１の肌密
着側の編地が、毛羽立つように、または、緻密なパイルが発生するように、表面加工される。この表面加工方法の例としては、起毛加工がある。起毛加工は、起毛機等を用いてタイツ１の肌密着側の編地表面を毛羽立たせる。タイツ１の肌密着側の編地表面の肌触りを良くするための加工であれば、本発明は起毛加工に限定されるものではない。
【００１９】
以上のようにして、本実施の形態に係るタイツによると、
（１）編糸として、ポリウレタン弾性糸６を芯糸として綿糸７を巻き付けたカバリング糸５を用いたこと、
（２）編成として、カバリング糸５の１種類のみでゾッキ編みしたこと、
（３）表面加工として、タイツ１の肌密着側を加工したこと
により、肌触りが非常に良好なタイツを実現することができる。
【００２０】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、多機能なタイツを実現するために（吸汗性や保温性や消臭性を備える、伝線しにくい等）、捲糸が天然繊維（好ましくは綿糸）であることおよびゾッキ編みであることを除いて、糸および編み組織が選択されていることも好適である。また、カバリング糸はＳＣＹではなくＤＣＹであっても構わないし、捲糸が天然繊維（好ましくは綿糸）であることを除けば、芯糸および捲糸の種類（組成、太さ等）も限定されるものではない。また、起毛等の加工を施すのは、タイツの肌密着側に加えて表側を含めても構わない。
【産業上の利用可能性】
【００２１】
本発明は、タイツに好適であり、肌触りの良好なタイツに特に好適である。
【符号の説明】
【００２２】
１    タイツ
２    レッグ部
３    パンティ部
４    股部
５    カバリング糸
６    ポリウレタン弾性糸
７    綿糸
８    平編ループ
【図１】
2013185266.tif 000003
【図２】
2013185266.tif 000004
【図３】
2013185266.tif 000005